(57)【要約】      （修正有）【課題】つばとハットバンドが着脱可能で相対的に移動可能な日除け帽子を提供する。【解決手段】つば１と、ハットバンド２と、端部円環、ベース部、突起した扁形ラッチ部及びトップカバー部を含む連結手段３と、を含む着脱可能な紫外線防止用の日除け帽子である。当該日除け帽子は紫外線防止の機能を持っており、使わない場合には外して保管するためのスペースが比較的に小さく、特に、様々な色のつばは外してそれぞれ単独に不織布製の袋に保管することができるので、携帯や保管に便利であり、つば１の損傷を避けることができる。ハットバンド２の内外において複合布地で縫製され、外面が装飾用布地で、内面が吸汗性の布地であるので、着用心地を向上させることができる。【選択図】図１
0003188397.tif 000002
【実用新案登録請求の範囲】
【請求項１】
つばと、ハットバンドと、前記つばとハットバンドとを連結する連結手段と、を含む日除け帽子であって、
前記連結手段は、端部円環と、ベース部と、ラッチ部とを含み、
前記ハットバンドは前記ベース部に固定連結され、前記端部円環は前記つばに固定連結され、前記ラッチ部は前記ベース部に移動可能に設置されるとともに、前記端部円環に着脱可能に連結されることを特徴とする日除け帽子。
【請求項２】
前記連結手段は、前記ベース部の外側面に装着されて前記ラッチ部と連結されており、前記ベース部における前記ラッチ部の移動を製御するトップカバー部を更に含むことを特徴とする請求項１に記載の日除け帽子。
【請求項３】
前記つばの端部において端部丸穴が設けされ、前記端部円環は前記端部丸穴に設けられ、前記端部円環は外リングと内リングとを有し、前記外リングの内径が前記内リングの内径よりも小さく、前記ラック部が前記外リングと内リングとの間に設けられ、前記ラック部が円環の内側に沿って均一に分布され、歯の端が円心方向に向かい、
前記ベース部は、スルーホールと、外円台座と、切り欠きと、内凹部と、端部と、平たい円柱体とを含み、前記スルーホールは前記平たい円柱体の円心に設けられ、前記平たい円柱体の外側面には外円台座が設けられ、前記外円台座の内径が前記平たい円柱体の内径より小さく、段階が形成され、前記外円台座の外径が前記平たい円柱体の直径より大きく、且つ外に繰り出して前記平たい円柱体と段階形の構造が形成され、前記外円台座には２つの前記切り欠きが対向して設置され、前記切り欠きによって前記外円台座において前記端部が形成され、前記ベース部の外側面が前記内凹部を形成しており、
前記ラッチ部は漢字の「凸」の形に形成され、尾部が内側に凹み、凹部の両側にはそれぞれ円柱スプリング被覆部が設置され、係止部にはラッチが設置され、前記ラッチ部は更に幅広ショルダー部が設置され、前記切り欠きの幅が前記ラッチ部の係止部の幅より大きく且つその幅広ショルダー部の幅より小さく、前記ラッチ部の外側面において円弧形尾部の近くに突起部が設置され、前記ラッチ部は２つあり、尾部が対向して前記ベース部の内凹部に設けられ、２つの同一の前記ラッチ部の尾部円柱スプリング被覆部が２つずつ対向して弾性的に連結され、前記ラッチが切り欠きより繰り出して前記端部円環のラック部と噛合することを特徴とする請求項１に記載の日除け帽子。
【請求項４】
前記端部円環は、更に、２つのロック用ほぞを含み、前記ロック用ほぞが前記端部円環の内リングにおいて対向して設置され、前記ロック用ほぞ同士の間の距離が外リングの内径と同一であることを特徴とする請求項２または３に記載の日除け帽子。
【請求項５】
前記ベース部は、更に、前記ベースにおける内凹部に対向して設けられた２つの円弧スルーホールを含み、対向する２つの円弧スルーホールを通る直径方向は対向する切り欠きを通る直径方向と互いに垂直しており、前記トップカバー部は、更に、径方向において対称して内側面外円周内に設けられる２つのトップカバーバーブを含むことを特徴とする請求項３に記載の日除け帽子。
【請求項６】
前記ベース部における平面中心には直方体の位置決めほぞが設けられ、前記位置決めほぞがスルーホールによって２つの部分に分けられており、その対向する方向は前記２つの円弧スルーホールの対向する方向と互いに垂直し、前記ハットバンドにおいて長方形スルーホールが設置され、前記位置決めほぞは前記ハットバンドの長方形スルーホールに嵌め込み、リベットがベース部の中心スルーホール内側面から挿入されて外側面から突き出され、ベース部がハットバンドに固定され、
及び/又は、
前記ラッチ部の尾部凹部が円弧形になり、対向して設置される２つの前記ラッチ部尾部がつないで１つの円弧の輪郭を形成し、前記ラッチ部の移動に影響させないように、前記リベットの前記ベース部のスルーホール外側から突き出された一端がそこに収容されることを特徴とする請求項３に記載の日除け帽子。
【請求項７】
前記ベース部は、更に、円環状の台座の切り欠きに近い端部の位置に設置される短枠梁と、短枠梁よりも切り欠きから更に遠く短枠梁の付近に設置される長枠梁と、を含み、
短枠梁と長枠梁は、長枠梁が互いに平行し対向する先端には一対の半円形の長い凹み溝が設置されることを特徴とする請求項３に記載の日除け帽子。
【請求項８】
前記ラッチ部と突起部とが同一の面に位置し、円弧部の両側にはそれぞれ伸縮可能な制御ブロックが設置されることを特徴とする請求項３に記載の日除け帽子。
【請求項９】
前記トップカバー部は円形の扁片状にされ、前記トップカバー部の内側面において直径方向に沿って円心の両側に対向する２つの凹み溝が設置され、前記２つの凹み溝が前記直径と一定の角をなし、前記トップカバー部の外側面にはリブが設置され、前記ラッチ部の突起部が前記凹み溝に移動可能に取り付けられ、前記トップカバー部の内側面の外円周には２つのバーブが対称して設けられ、
及び/又は、
前記トップカバー部における凹み溝が長方形に形成され、両端が円弧状にされ、前記直径と４５度の角をなして設置され、前記ラッチ部における突起部が円柱形を形成することを特徴とする請求項３に記載の日除け帽子。
【請求項１０】
前記トップカバー部の外側面のエッジが中部より薄く、円弧状が形成され、前記トップカバー部の外側面においては、リブが３つの弧形のリブとなることを特徴とする請求項３に記載の日除け帽子。
【考案の詳細な説明】
【技術分野】
【０００１】
本考案は、日除け帽子に関し、特に、つばとハットバンドが着脱可能で相対的に移動可能な日除け帽子に関する。
【背景技術】
【０００２】
夏の日差しが強いので、長時間の間、屋外で歩いたり作業したりする人々が日焼け止め対策を取らないと、皮膚、更に目が容易に日焼けされる。近年、数多くの種類の紫外線防止用の日除け帽子が現れ、それに対して消費者の反応が良いが、つばのコート層が容易に硬いものに傷つけられ、体積が大きいため、携帯性、保管性が悪く、日除け範囲に限りがあるなど、様々な欠点があるので、改善が要求されている。
【考案の概要】
【考案が解決しようとする課題】
【０００３】
従来技術における課題に鑑みて、本考案は、使わない時につばとハットバンドを外すことができ、使う時に改めて装着する着脱可能な日除け帽子を提供することを目的とする。また、装着して使う時に、つばを柔軟に調節することが可能で、異なる角度からの光を避けることができる。
【課題を解決するための手段】
【０００４】
本考案は、つばと、ハットバンドと、前記つばとハットバンドとを連結する連結手段と、を含む日除け帽子であって、前記連結手段は、端部円環と、ベース部と、ラッチ部とを含み、前記ハットバンドは前記ベース部に固定連結され、前記端部円環は前記つばに固定連結され、前記ラッチ部は前記ベース部に移動可能に設置されるとともに、前記端部円環に着脱可能に連結されることを特徴とするので、ハットバンドが、連結手段を中心につばの回りに回転し、且つ、つばとハットバンドとが互いに着脱可能であるので、携帯性と使用性が良い。
【０００５】
本考案の１つの実施形態において、前記連結手段は、更に、前記ベース部の外側面に装着されて前記ラッチ部と連結されており、前記ベース部における前記ラッチ部の移動を製御するトップカバー部を含む。
【０００６】
本考案の１つの実施形態において、前記つばの端部において端部丸穴が設けされ、前記端部円環は前記端部丸穴に設けられ、前記端部円環は外リングと内リングとを有し、前記外リングの内径が前記内リングの内径よりも小さく、前記ラック部が前記外リングと内リングとの間に設けられ、前記ラック部が円環の内側に沿って均一に分布され、歯端が円心方向に向かい、
前記ベース部は、スルーホールと、外円台座と、切り欠きと、内凹部と、端部と、平たい円柱体とを含み、前記スルーホールは前記平たい円柱体の円心に設けられ、前記平たい円柱体の外側面には外円台座が設けられ、前記外円台座の内径が前記平たい円柱体の内径より小さく、段階が形成され、前記外円台座の外径が前記平たい円柱体の直径より大きく、且つ外に繰り出して前記平たい円柱体と段階形の構造が形成され、前記外円台座には２つの前記切り欠きが対向して設置され、前記切り欠きによって前記外円台座において前記端部が形成され、前記ベース部の外側面が前記内凹部を形成しており、
前記ラッチ部は「凸」字形に形成され、尾部が内側に凹み、凹部の両側にはそれぞれ円柱スプリング被覆部が設置され、係止部には多数のラッチが設置され、前記ラッチ部は更に幅広ショルダー部が設置され、前記切り欠きの幅が前記ラッチ部の係止部の幅より大きく且つその幅広ショルダー部の幅より小さく、前記ラッチ部の外側面において円弧形尾部の近くに突起部が設置され、前記ラッチ部は２つあり、尾部が対向して前記ベース部の内凹部に設けられ、２つの同一の前記ラッチ部の尾部円柱スプリング被覆部が２つずつ対向して弾性的に連結され、前記ラッチが切り欠きより繰り出して前記端部円環のラック部と噛合する。それらの実施の形態において、ラッチ部の係止部がベース部の切り欠きから繰り出し、ラッチと端部円環のラック部と噛合し、ラッチ部の尾部スプリング被覆部が２つずつ弾性的に連結され、２つのラッチ部の４つの円柱スプリング被覆部が２つずつ対向して２つのスプリングに取り付けられ、２つのスプリングの裏側の部分が左右で半円形の長い凹み溝につけられ、２つの同一のラッチ部の自由的な伸縮が図られ、このような連結手段は、構造がコンパクトで、体積が小さく、着脱便利である。
【０００７】
本考案の１つの実施の形態において、前記端部円環は、更に、２つのロック用ほぞを含み、前記ロック用ほぞが前記端部円環の内リングにおいて対向して設置され、前記ロック用ほぞ同士間の距離が外リングの内径と同一である。ラッチとラック部との噛み合いによって固定するだけでは、長時間の使用または複数回の着脱でその使用寿命が減少されるので、２つのロック用ほぞを設置して、ラッチとラック部が受ける力を分担して、更にしっかりと、端部円環をベース部に固定して使用寿命を延長させることができる。
【０００８】
本考案の１つの実施の形態において、
前記ベース部は、更に、前記ベースにおける内凹部に対向して設けられた２つの円弧スルーホールを含み、対向する２つの円弧スルーホールを通る直径方向は対向する切り欠きを通る直径方向と互いに垂直しており、前記トップカバー部は、更に、径方向において対称して内側面外円周内に設けられる２つのトップカバーバーブを含む。
【０００９】
本考案の１つの実施の形態において、
前記ベース部における平面中心には直方体の位置決めほぞが設けられ、前記位置決めほぞがスルーホールによって２つの部分に分けられており、その対向する方向は前記２つの円弧スルーホールの対向する方向と互いに垂直し、前記ハットバンドにおいて長方形スルーホールが設置され、前記位置決めほぞは前記ハットバンドの長方形スルーホールに嵌め込み、リベットがベース部の中心スルーホール内側面から挿入されて外側面から突き出され、ベース部がハットバンドに固定される。前記ラッチ部の尾部凹部が円弧形になり、対向して設置される２つの前記ラッチ部尾部がつないで１つの円弧の輪郭を形成し、前記ラッチ部の移動に影響させないように、前記リベットの前記ベース部のスルーホール外側から突き出された一端がそこに収容される。位置決めほぞがハットバンドにおける長方形孔にマッチングし、ベース部のハットバンドにおける固定位置を制限することができる。それにより、ベース部がリベットを中心にハットバンドにおいて回転することを避けられる。リベットの一端がかっきりとラッチ部の尾部の円弧の輪郭に収容されるので、ラッチ部が伸縮するスペースが大きくなるだけではなく、連結手段全体の構造がコンパクトで、体積が小さくなる。
【００１０】
本考案の１つの実施の形態において、
前記ベース部は、更に、円環状の台座の切り欠きに近い端部の位置に設置される短枠梁と、短枠梁よりも切り欠きから更に遠く短枠梁の付近に設置される長枠梁と、を含み、短枠梁と長枠梁は、長枠梁が互いに平行し対向する先端には一対の半円形の長い凹み溝が設置される。
長枠梁と短枠梁とによって形成されるスペーシングスペースには、ラッチ部の係止部と幅広ショルダー部をかっきりと収納させて、係止部が切り欠きから繰り出すことを前提としている状態で、２つの同一の尾部と対向するラッチ部が同じ直線上に存在するので、左右に揺らぐことがない。このように設置すれば、連結手段の信頼度を向上させるだけではなく、スプリングの使用寿命を延長させることができる。
【００１１】
本考案の１つの実施の形態において、ラッチ部と突起部とが同一の面にあり、円弧部両側にはそれぞれ伸縮制御ブロックが設けられる。トップカバー部を回転させられると、力が大きく過ぎるまたは力が不均一であることでラッチ部を押すことがあるが、ラッチ部が移動可能にベース部の内凹部に設置されるので、押されると直線位置から離脱するまたは上に捲れるので、連結手段の信頼度を低減させ、ラッチ部とスプリングを損傷させる。ラッチ部毎に２つの伸縮制御ブロックが設置され、トップカバー部を更によく支持することができるので、トップカバー部からの圧力を分担し、ラッチ部の厚さを増大させ、スプリング被覆部円柱の粗さを増大させて、スプリングの抵抗を安定させる。
【００１２】
本考案のある実施の形態において、前記トップカバー部は円形の扁片状にされ、前記トップカバー部の内側面において直径方向に沿って円心の両側に対向する２つの凹み溝が設置され、前記２つの凹み溝が前記直径と一定の角をなし、前記トップカバー部の外側面にはリブが設置され、前記ラッチ部の突起部が前記凹み溝に移動可能に取り付けられ、前記トップカバー部の内側面の外円周には２つのバーブが対称して設けられ、及び/又は、前記トップカバー部における凹み溝が長方形に形成され、両端が円弧状にされ、前記直径と４５度の角をなして設置され、前記ラッチ部における突起部が円柱形を形成する。また、前記トップカバー部の外側面のエッジが中部より薄く、円弧状が形成され、前記トップカバー部の外側面においては、リブが３つの弧形のリブとなることもよい。
【００１３】
本考案に係る着脱可能な紫外線防止用の日除け帽子は、紫外線防止用の機能を持つだけではなく、様々な色のつばを配置し交換することであってもよく、交換して使う。砂埃の日、光が暗い時、明るい色のつばを交換することが可能で、強い日差しまたは強い人工の光源に晒される場合、暗い色のつばを交換することが可能で、雨の日または夜間には雨と虫を防ぐために、透明なかつ高精細のつばを使うことが可能である。によって、利用者に広い使用範囲を提供することができる。なお、本考案のつばは、異なる角から照射される光を遮蔽するように、３６０度の範囲内で調整可能である。
【考案の効果】
【００１４】
本考案の着脱可能な紫外線防止用の日除け帽子は、不使用時に着脱可能で、体積が小さく、特に、様々な色のつばが取り外されて単独に不織布製の袋に保管されるので、携帯、保管が便利であり、つばの損傷を避けることができる。
【００１５】
本考案の着脱可能な紫外線防止用の日除け帽子のトップカバー部には、回転グリップとして使用するリブが設けられ、各種の形状とすることができる。クロムめっきや真空エコめっきによって様々な新鮮なカラーに染色して、更にそれを美観にさせることができる。ハットバンド内外には複合布地によって縫製されて、外面が装飾用布地で、内面が吸汗性の布地であるので、着用心地を向上させることができる。
【図面の簡単な説明】
【００１６】
【図１】図１は本考案の実施例における紫外線防止用の日除け帽子の斜視図である。
【図２】図２は本考案の実施例におけるつばの構造の模式図である。
【図３】図３は本考案の実施例におけるつばの端部円環の構造の模式図である。
【図４】図４は本考案の実施例における連結手段のベース部の内側面の構造の模式図である。
【図５】図５は本考案の実施例における連結手段のベース部の外側面の構造の模式図である。
【図６】図６は本考案の実施例における連結手段の突起した扁形ラッチ部の構造の模式図である。
【図７】図７は本考案の実施例における連結手段トップカバー部の内側面の構造の模式図である。
【図８】図８は本考案の実施例における連結手段トップカバー部の外側面の構造の模式図である。
【図９】図９は本考案の実施例におけるつば構造の局部模式図で、その端部丸穴には連結手段を取り付けられた場合を表している。
【考案を実施するための形態】
【００１７】
以下、図面にしたがって本考案の実施例について詳細に説明する。
図１及び図２は本考案の一実施の形態の着脱可能な紫外線防止用の日除け帽子を示す。図面に示すように、当該日除け帽子は、つば１と、ハットバンド２と、連結手段３とを含む。図１、２に示す実施の形態において、連結手段３は、端部円環３０１と、ベース部３１１と、ラッチ部３２１と、トップカバー部３３１とを含む。
【００１８】
本考案の一実施例において、つば１の対向する２つの端部にはそれぞれ端部丸穴１０１が設けられ、且つ、掛け帯穴１０２を更に設けており、掛け帯がそれを通る（図示しない）。このように日除け帽子をかぶらないとき、それを胸にかけるので、携帯性がよい。つば１は円弧形片状体であり、材質が透明なポリカーボネート（PC）またはポリエチレンテレフタレート（PET）プラスチックであってもよい。つば１の円弧形エッジを鈍辺に磨き上げるので、手触り性がよく且つかすり傷を防止する。ハットバンド２は、人体の頭部の輪郭及び異なる大きさに適応するように、密封しない弧形のように曲げられる本体（図示しない）を含む。ハットバンド２の本体は、弾性材料によって金型を製作して射出して製作され、その開口部の前端には左右対称に２つの長方形スルーホールを開け、スルーホール規格４X１５ミリメートルで、頑丈さ、美観性、適応性を向上させるために、内外において複合布地を縫製し、外面が装飾用布地で、内面が吸汗性の布地であってもよい。
【００１９】
図２及び図３に示すように、図３は図２から単独に分離された部分を詳細に示す図あり、金型を製作するときは一体とされている。つば１の厚さは１.２〜１.５mm、端部円環３０１の厚さは４.５〜６.５mm、つば１における丸穴１０１部分は、端部円環３０１の厚さとマッチングすることができるために、厚さを増大させたものであり、図２に示すように、丸穴１０１部分の厚さは丸穴から周辺に緩やかに薄くなり、図３に示すように、実際にはつば端部円環の内側面であり、取り付けるとき、見える側はつば端部円環の外側面である。端部円環３０１はつば１の端部丸穴１０１に固定され、端部円環３０１は、内リング３０１１、外リング３０１２を含み、内リング３０１１は端部丸穴１０１の内側（ハットバンド２と接触する側）に設置され、外リング３０１２は端部丸穴１０１の外側に設置される。外リング３０１２の内径は２７〜３０ミリメートルであってもよい、内リング３０１１の内径は３３〜３６ミリメートルであってもよい。内リング３０１１ と外リング３０１２との間、円周方向に沿ってラック部３０１３を均一に配列して設置され、ラック部３０１３における歯はいずれも円心方向に向かっている。内リング３０１１には円心方向に向かって２つのロック用ほぞ３０１４を対向して設け、２つのロック用ほぞ３０１４の間の距離が外リング３０１２の内径と同じである。
【００２０】
図４及び図５はそれぞれベース部３１１の内外両面を示している。ベース部３１１は金型によって射出されたものであり、材質はABS またはポリホルムアルデヒドであってもよい。図４に示すように、ベース部３１１は平たい円柱体３１１８と外円台座３１１３とを含み、外円台座３１１３が円環であり、平たい円柱体３１１８の外側面に設けられ、その内径が平たい円柱体３１１８の内径より小さく、内側が大きいが外側が小さく段階を形成し、外径が円柱体３１１８の直径より大きく、円柱体３１１８から繰り出し、それと段階構造を形成する。円柱体３１１８の中心にはベース部円スルーホール３１１１を設け、ベース部３１１の平たい円柱体３１１８内側平面には、スルーホール３１１１回りに凸字状の直方体位置決めほぞ３１１２を設け、中央には丸穴３１１１によって間隔を開けて対向して設置され、２つのように見えるが、実際には１つの直方体である。リベット４がスルーホール３１１１を突き抜けてハットバンド２をベース部３１１に固定したとき、直方体の位置決めほぞ３１１２がリベット４の圧力を分担してベース部３１１がハットバンド２において回転されるのを防止する。このような設置はリベットの使用寿命が延長される。ベース部３１１における平たい円柱体３１１８の円心両側には２つの弧形スルーホール３１１５が対向して設置され、対向する２つの弧形スルーホール３１１５を通る直径方向が対向する位置決めほぞ３１１２を通る直径方向と互いに垂直する。
【００２１】
図５に示すように、ベース部３１１の外円台座３１１３には２つの切り欠き３１１４が対向して設置され、当該２つの相向切り欠きを通る直径方向が位置決めほぞ３１１２を通る直径方向と同じである。切り欠き３１１４の幅がラッチ部３２１の係止部３２１５幅より大きく且つラッチ部３２１の尾部幅より小さい。外円台座３１１３は２つの切り欠き３１１４には４つの端部３１１７が形成され、それぞれの端部３１１７はいずれも内側に２つの档梁３１１７a、３１１７bが設けられ、短枠梁３１１７bが切り欠き３１１４に近いが、長枠梁３１１７aが切り欠きから少し遠く短枠梁３１１７bの付近に設けられ、短枠梁３１１７bと長枠梁３１１７aとが互いに平行するため、ベース部３１１の外側面には内凹部３１１６が形成され、２つずつ対向する長枠梁３１１７aの両先端内凹部３１１６には、一対の半円形の長い凹み溝３１１９が設けられる。
【００２２】
図６に示したものは連結手段３のラッチ部３２１であり、金型によって硬いプラスチックから射出成形して製作してもよい。材質はABSアクリロニトリル・ブタジエン・スチレン（Acrylonitrile Butadiene StyreneAcrylonitrile Butadiene Styrene）またはポリホルムアルデヒドであってもよい。その全体の形状は「凸」字形にされ、ラッチ部３２１の尾部には内凹の円弧部３２１７があり、スプリング被覆部３２１３、ラッチ部３２１の前端部には係止部３２１５が設けられ、係止部３２１５の先端には複数のラッチ３２１６、幅広ショルダー部３２１４、突起部３２１１が設けられる。
【００２３】
図７は連結手段３の内部構造の模式図であり、同一のラッチ部３２１が２つあり、尾部がベース部３１１の内凹部３１１６において対向して設けられ、２つの円弧部３２１７がつないで円の輪郭を形成する。リベット４がベース部３１１の外側面から突き出した一端がその中に収容され、２つのラッチ部３２１の移動に影響しない。内へ凹の円弧部３２１７の両側にはそれぞれ円柱スプリング被覆部３２１３が設けられ、２つのラッチ部３２１の４つの円柱スプリング被覆部３２１３が２つずつ対向して２つのスプリング３２１８に取り付けられ、２つのスプリング３２１８が半円長形凹み溝３１１９につけられ、スプリングの長さは、好ましくは９〜１５ミリメートルであり、通常、円柱スプリング被覆部３２１３におけるスプリング３２１８が弛み状態であり、２つのスプリングの引張力で同時にラッチ部３２１の幅広ショルダー部３２１４をベース部３１１の短枠梁３１１７bに押し付け、且つラッチ部３２１の尾部が長枠梁３１１７aの間にあり、その端部係止部３２１５が切り欠き３１１４から繰り出し、複数のラッチ３２１６がつばの端部円環３０１のラック部３０１３に入ってそれと噛み合う。複数のラッチを設置するのは、ラッチによって圧力が分担され、歯車の運転を更に安定させる目的である。ラッチ部３２１の外側面において、円弧部３２１７の両側の近くに更にそれぞれ伸縮制御ブロック３２１２が設けられ、伸縮制御ブロック３２１２を設置するのは、トップカバー部３３１を回転させるときラッチ部３２１に損傷を与えることを避けることを目的としたものであり、２つのラッチ部３２１における４つの伸縮制御ブロック３２１２がトップカバー部３３１を支持するように作用させ、ラッチ部３２１の圧力を分担し、且つラッチ部の厚さを増大させ、スプリング被覆部円柱の粗さを増大させ、スプリングの抵抗を安定させ、同時に、構造がコンパクトしないことによるスプリングの圧縮時における曲げを更に避けることができる。
【００２４】
図８及び図９は、それぞれ連結手段３のトップカバー部３３１の内側面の構造の模式図及び外側面の構造の模式図である。連結手段３のトップカバー部３３１は円形の片状であり、金型によって硬いプラスチックから射出成形して製作することができ、材質はABSまたはポリカーボネート（PC）であってもよい。トップカバー部３３１の内側面において、直径方向の円心両側に沿って２つの凹み溝３３１１が形成され、凹み溝３３１１は長方形にされ、両端が円弧端３３１１a、３３１１bである。２つの凹み溝３３１１はその直径方向と４５度の角をなし、トップカバー部３３１内側面には更に２つのトップカバーバーブ３３１２が直径に沿って対称的に円周内の両側に設置され、トップカバーバーブ３３１２を通る直径方向が凹み溝３３１１を通る直径方向と互いに垂直し、トップカバー部３３１ の外側面エッジがほぼ薄く、例えば２〜３ ミリメートルであり、中部がほぼ厚く、例えば４〜６ミリメートルであり、外部の輪郭全体が弧状である。外側面には更に３つの弧形リブ３３１３を設置してもよく、回転する際のグリップとして使用され、一定の飾りの効果も図る。ラッチ部３２１の円柱状の突起部３２１１は移動可能に長方形凹み溝３３１１における溝に設けられ、通常、溝３３１１のb部にある。トップカバー部３３１のトップカバーバーブ３３１２はベース部３１１の２つの弧形スルーホール３１１５を突き抜けてそれぞれ外円台座３１１３の内側面における段階に掛けられ、端部円環３０１におけるロック用ほぞ３０１４はベース部３１１の平たい円柱体に係合し、ロック用ほぞ３０１４が円環台座３１１３段差の下に入り込み、つば１をロッキングして離脱しないようにする。このように、端部円環３０１と、ベース部３１１と、ラッチ部３２１と、トップカバー部３３１とが連結され、リブ３３１３を利用してトップカバー部３３１を回転し、２つのスプリング３２１８を収縮させ、ラッチ部３２１の円柱突起部３２１１がトップカバー部３３１の円弧端３３１１a部に移動されたとき、ラッチ３２１６が端部円環３０１のラック部３０１３から離脱し、再び端部円環３０１を回転させ、ベース部３１１の平たい円柱体に係合したロック用ほぞ３０１４を切り欠き３１１４の位置に移動させ、端部円環３０１ がベース部３１１３と完全に離脱し、端部円環３０１に固定したつば１とベース部３１１に固定したハットバンド２との着脱が完成する。
【００２５】
組み立てる場合には、ベース部３１１の内側面において位置決めほぞ３１１２がハットバンド２の開口部前端における左右に対称する両長方形スルーホールを貫通し、リベット４によって固定され、再びラッチ部３２１の円柱スプリング被覆部３２１３に対して、２つずつ対向するようにスプリング３２１８を取り付け、ベース部３１１の内凹部３１１６に置き、係止部３２１５をベース部３１１の切り欠き３１１４から繰り出し、ベース部３１１の外側面からトップカバー部３３１を被せ、トップカバーのバーブ３３１２をベース部３１１の弧形スルーホール３１１５を通らせて外円台座３１１３の内側面における段階に引っ掛けるようにする。このように、ハットバンド２が連結手段３としっかりと連結され、プロセスが簡易で、便利に操作できる。つばに取り付けられるとき、リブ３３１３を利用してトップカバー部３３１を回転すれば、スプリング３２１８がラッチ部３２１を内側に押さえ、係止部３２１５がベース部における外円台座３１１３内部に位置すると、端部円環３０１のロック用ほぞ３０１４をベース部３１１の切り欠き３１１４にアライメントさせ、端部円環３０１をベース部３１１に嵌め込み、トップカバー３３１が戻り、複数のラッチ３２１６がつばの円環ラック部３０１３に進入して噛み込むようにする。端部円環３０１を回転させると、ロック用ほぞ３０１４が切り欠き３１１４の位置から離れ、ベース部３１１の平たい円柱体に係合し、ロック用ほぞ３０１４が円環台座３１１３段差の下に入り込み、つば１をロッキングさせて離脱されないようにする。このように操作することでつば１と連結手段３との安定した連結を完成させ、図１は、完成された日除け帽子を示している。
【００２６】
着脱可能な紫外線防止用の日除け帽子によれば、利用者にとっては携帯性が良いだけではなく、出荷、輸送及び販売員にとっても便利である。輸送時に、つばとハットバンドとをそれぞれパッキングすることができるので、体積が比較的小さく、運賃、包装物を節約する効果も奏する。販売するとき、ハットバンド、つばの色が様々であるため、ユーザが自分の好みで自由に選択することもできる。
【図１】
0003188397.tif 000003
【図２】
0003188397.tif 000004
【図３】
0003188397.tif 000005
【図４】
0003188397.tif 000006
【図５】
0003188397.tif 000007
【図６】
0003188397.tif 000008
【図７】
0003188397.tif 000009
【図８】
0003188397.tif 000010
【図９】
0003188397.tif 000011